(57)【要約】【課題】作用位置の間隔が複数種類ある場合に、容易に作業位置の変更が可能な携帯用動力駆動工具のアタッチメントを提供すること。【解決手段】  釘打機１のノーズトップ１４に装着されるアタッチメント２０が、内側のアタッチメントである小径部２１と、外側のアタッチメントである大径部２２とによって同心状に二重構造になるように複数のアタッチメントから構成されている。【選択図】  図１
2005224907.tif 000002
【特許請求の範囲】
【請求項１】
携帯用動力駆動工具の作業処理部に装着され、前記作業処理部の中心から位置決め用の当接部までの離間距離が複数種類定められると共に、作業対象部位の硬さよりも軟らかい材質により構成されていることを特徴とする携帯用動力駆動工具のアタッチメント。
【請求項２】
携帯用動力駆動工具の作業処理部に工具の中心から同心状に装着され、且つ、相互に嵌合可能とされる複数のアタッチメントからなり、該複数個のアタッチメントの各々は、前記工具の中心から位置決め用の当接部までの距離が所定の離間距離になるように定められると共に、作業対象部位の硬さよりも軟らかい材質により構成されていることを特徴とする携帯用動力駆動工具のアタッチメント。
【請求項３】
請求項２の携帯用動力駆動工具のアタッチメントにおいて、互いに接触し合う内側のアタッチメントと外側のアタッチメントとの少なくともいずれかに、相互に圧入される凸部が形成されていることを特徴とする携帯用動力駆動工具のアタッチメント。
【請求項４】
請求項２，請求項３のいずれかの携帯用動力駆動工具のアタッチメントにおいて、前記複数個のアタッチメントのうち内側に位置するアタッチメントは、外側に位置するアタッチメントより硬い材質で構成されていることを特徴とする携帯用動力駆動工具のアタッチメント。
【発明の詳細な説明】
【技術分野】
【０００１】
本発明は、釘打機、ネジ打ち機、ネジ締め機、ドリル等の圧縮エアー或いは電力を用いて駆動する携帯用動力駆動工具のアタッチメントに関する。
【背景技術】
【０００２】
従来、釘打機用のアタッチメントとしては、例えば、石膏ボードの端から一定の距離に離して釘を打ち込む場合に、位置決め調整に手間がかかるため、釘打機の釘打ち出し部に位置決め用のアタッチメントを装着するものが知られている。
【０００３】
また、従来の携帯用動力駆動工具のアタッチメントとしては、打ち込み箇所の目視確認が容易に行える釘打機の打ち込みガイド装置（例えば、特許文献１参照）、或いは、釘打ち込み作業時の摩耗を有効に防止する釘打機のフロア材止着用アタッチメント（例えば、特許文献２参照）が公開されている。
【０００４】
特許文献１に示す釘打機の打ち込みガイド装置は、コンタクト機構を構成しているコンタクト部材の先端に釘射出口を形成するノーズトップを装着し、ノーズトップと打ち込みガイドの間の対向する両周壁に環状溝を形成し、環状溝に弾性リングを装着して、打ち込みガイドをノーズトップに対して着脱可能に保持させると共に、打ち込みガイドの上端面とコンタクト部材の下端面との間に凹部と凸部とを周方向に形成したものである。
【０００５】
特許文献２に示す釘打機用のフロア材止着用アタッチメントは、釘打機の釘打ち出し部の先端に着脱自在に設けられてフロア材を釘止めするアタッチメントであって、釘打ち出し部の周囲に着脱されるゴム製のアタッチメント本体と、このアタッチメント本体の先端側に取り付けられて釘打ち出し部の開口部を覆う金属製のカバー材とからなり、カバー材には打ち出された釘を通過させる穴が形成されているものである。
【特許文献１】特開２００３−１９１１７５号公報
【特許文献１】特開平１０−１３８１６８号公報
【発明の開示】
【発明が解決しようとする課題】
【０００６】
しかしながら、従来のようなアタッチメントは一つの寸法だけであるので、石膏ボードの端から離間する距離が各種ある場合には、複数個のアタッチメントを交換しなければならず、部品交換に手間がかかるという問題がある。
【０００７】
また、石膏ボードなどの脆さや軟らかい材質（例えば仕上げ材）のものは、釘打機の射出部によって変形したり、損傷したりする恐れがある。
【０００８】
本発明は、このような問題に着目してなされたものであり、釘、ネジ等の打ち込みやドリルの穴開けなどの作業位置の間隔が複数種類ある場合に、容易に作業位置の変更が可能な携帯用動力駆動工具のアタッチメントを提供することを目的とする。
【課題を解決するための手段】
【０００９】
上記課題を解決するために、本願の第１の携帯用動力駆動工具のアタッチメントは、携帯用動力駆動工具の作業処理部に装着され、前記作業処理部の中心から位置決め用の当接部までの離間距離が複数種類定められると共に、作業対象部位の硬さよりも軟らかい材質により構成されていることを特徴とする。
【００１０】
携帯用動力駆動工具としては、釘打機、ネジ打ち機、ネジ締め機、ドリルが含まれ、動力は圧縮空気、電力等がある。アタッチメントを取り付ける作業処理部は、釘打機の場合、釘を射出する釘射出口部であり、ネジ打ち機やネジ締め機の場合は、ネジを射出するネジ射出口部であり、ドリルの場合にはドリルの刃を固定するチャックが該当する。
【００１１】
作業対象部位には、木材、石膏ボード、プラスチック板、金属板等を挙げることができ、作業対象部位の硬さよりも軟らかい材質とは、木材板の場合には釘やネジ或いはドリルを当てる木材よりも軟らかい材質をいう。
【００１２】
この軟らかい材質として、例えば、合成ゴム、天然ゴム等のゴム系材料や各種の樹脂材料を挙げることができる。作業処理部の中心から位置決め用の当接部までとは、例えば、釘やネジ或いはドリルの軸の中心からそれらの半径方向の距離であって、矩形或いは多角形のブロック或いは板或いは筒体における中心から外周部までの離間距離が複数あることである。
【００１３】
本願の第２の携帯用動力駆動工具のアタッチメントは、携帯用動力駆動工具の作業処理部に工具の中心から同心状に装着され、且つ、相互に嵌合可能とされる複数個の位置決め用アタッチメントからなり、該複数個の位置決め用アタッチメントの各々は、前記工具の中心から位置決め用の当接部までの距離が所定の離間距離になるように定められると共に、作業対象部位の硬さよりも軟らかい材質により構成されていることを特徴とする。
【００１４】
工具の中心から同心状に装着されるとは、例えば、円柱状或いは円筒状のものが同心円状に装着されること、若しくは、角柱状或いは角筒状のものが同心状に装着されることである。
【００１５】
本願の第３の携帯用動力駆動工具のアタッチメントは、第２の携帯用動力駆動工具のアタッチメントにおいて、互いに接触し合う内側のアタッチメントと外側のアタッチメントとの少なくともいずれかに、相互に圧入される凸部が形成されていることを特徴とする。
【００１６】
本願の第４の携帯用動力駆動工具のアタッチメントは、第２，第３のいずれかの携帯用動力駆動工具のアタッチメントにおいて、前記複数個のアタッチメントのうち内側に位置するアタッチメントは、外側に位置するアタッチメントより硬い材質で構成されていることを特徴とする。
【発明の効果】
【００１７】
本願の第１の携帯用動力駆動工具のアタッチメントによれば、作業処理部の中心から当接部までの離間距離が異なるので、例えば柱の縁部から所定距離に釘を打つ場合に、釘と柱の離間距離が場所によって異なっている場合でも、アタッチメントの当接部を変更することによって、容易に離間距離を維持することができる。また、アタッチメントの硬さも作業対象部位の硬さよりも軟らかく設定されているので、凹みや損傷等が生じない。
【００１８】
本願の第２の携帯用動力駆動工具のアタッチメントによれば、複数のアタッチメントが作業処理部位に装着されているので、作業対象部位の位置が変わった場合に、該当するアタッチメントに変更して容易に作業を行うことができる。また、作業対象部位の硬さよりも軟らかい材質により構成されているので、作業対象部位に凹みや損傷を与えることがない。
【００１９】
本願の第３の携帯用動力駆動工具のアタッチメントによれば、相互に嵌合して接触し合うアタッチメント同士が凸部により圧入されているので、複数のアタッチメントを装着しているときでも、アタッチメントが脱落する恐れがない。
【００２０】
本願の第４の携帯用動力駆動工具のアタッチメントによれば、内側のアタッチメントが外側のアタッチメントより硬く形成されているので、内側のアタッチメントが作業対象部位或いは位置決め用の柱や壁に当たったときの面積が小さくても、摩耗が少ないと共に、内側のアタッチメントが軟らかさで撓んだり歪んだりする恐れがなく、作業中に外側のアタッチメントが脱落することを防止できる。
【発明を実施するための最良の形態】
【００２１】
以下、本発明を実施するための最良の形態を図面に基づいて説明する。
【００２２】
図６は本発明の最良の形態に係る釘打機１であり、この釘打機１の構成は周知の構成である。釘打機１の概略構成を説明すると、釘打機１は手で握るグリップ部２と内部にシリンダを有するハウジング３とが一体に形成されており、ハウジング３の後部にエアーバルブ部４が設けられている。ハウジング３の内部には、このエアーバルブ部４内に設けられた図示しないエアーバルブ機構に接続されて圧縮空気の導入・排気が行われるシリンダ室が形成されている。
【００２３】
グリップ部２の底部にはエアホースソケット５が接続される。グリップ部２の内部にはエアホースソケット５から送られてくる圧縮空気をエアーバルブ機構に送るためのエア通路（図示省略）が形成されており、エア通路の途中には、トリガ６をグリップ部２側に引き込むことによって、エアホースソケット５とエアーバルブ機構とを接続して圧縮空気をシリンダ室内に送り込むトリガバルブ（図示省略）が設けられている。
【００２４】
エアーバルブ機構は、グリップ部２内に形成されたエア通路を経由して圧縮空気が導入され、また、シリンダ室内の空気を大気に排気する。エアーバルブ機構には、シリンダ室のシリンダヘッドが接続されており、このシリンダヘッドにはエアーバルブ機構の給気通路と排気通路が形成されている。
【００２５】
シリンダの内部には、導入された圧縮空気によってシリンダの中心軸方向に前後移動する図示しない打撃ピストンが内蔵されており、打撃ピストンの前記シリンダヘッドの反対側の部位には、釘の頭部を打撃する丸棒状のドライバが取り付けられている。
【００２６】
ハウジング３の先端部には中空の釘射出通路７（図１参照）を形成しているノーズ部８が取り付けられており、ドライバがノーズ部８の釘射出通路７内に摺動可能に通されている。ノーズ部８の釘射出通路７の側面であって釘供給ガイド９の接続部には開口部１０が形成されており（図１参照）、この開口部１０にはドライバが釘を１本打ち込む度に釘供給ガイド９から釘が１本ずつ供給される。
【００２７】
この釘は釘供給ガイド９から送られてくるものであり、送られてくる釘が前記開口部１０から釘射出通路７の内部に送り込まれる。釘供給ガイド９には、前述のドライバの往復動毎に釘を送り出す釘供給機構１１が設けられており、釘供給機構１１の近傍にはロール状に巻回した連結釘を収納するマガジン部１７が設けられている。
【００２８】
マガジン部１７内においてロール状に巻かれた連結釘は釘供給機構１１の爪１１Ａ、１１Ｂの送り動作により、ノーズ部８の釘射出通路７内に１本ずつ順次供給されるようになっている。
【００２９】
前記ノーズ部８の釘射出通路７の前方には、釘を打ち出す射出通路１２の前方に突出するコンタクト部材１３（作業処理部）が設けられている。コンタクト部材１３は、石膏ボードや木材にコンタクト部材１３のアタッチメント２０を押し当てたときに、ハウジング部２側に後退して、トリガ６の引き込みよるドライバの釘打ちを許容する。すなわち、前記トリガバルブは、トリガ６のグリップ部２側への引き込みと、コンタクト部材１３のグリップ部２側への後退とによって、グリップ部２のエア通路とエアーバルブ機構とを接続し、圧縮空気をシリンダ室内に供給したり、シリンダ室内の空気を排出する。
【００３０】
ノーズ部８に摺動可能に装着されたコンタクト部材１３は、中空形状のノーズトップ１４と、コンタクトアーム１５とによって構成されている。ノーズトップ１４は、釘を通過させるように筒状に形成されたものであり、コンタクト部材１３に着脱可能に保持されている。ノーズトップ１４は、ノーズ部８の釘射出通路７の先端方向に配置されて、釘射出通路７と直線的に連なる中空の射出通路１６を備えている。
【００３１】
また、コンタクト部材１３は、コンタクトアーム１５の一端部に一体に結合され、コンタクトアーム１５の他方の端部はトリガ６の近傍に配置されている。コンタクトアーム１５の他端部は、コンタクト部材１３がトリガ６側に引き寄せられ、且つトリガ６がグリップ部２側に引き寄せられたときに、トリガバルブの開を許容するように、トリガバルブと係合している。ノーズトップ１３の先端側には石膏ボードや木材などの被打込材の釘打ち込み位置に適合させた形状を備えた複数個からなるアタッチメント２０が着脱可能に装着されている。
【００３２】
アタッチメント２０は、この実施の形態では、交換自在なように複数個のアタッチメントから構成される。内側のアタッチメントは小径部２１であり、外側のアタッチメントは大径部２２であって、アタッチメント２０が小径部２１と大径部２２とによって同心状に二重構造になるように構成されている。
【００３３】
すなわち、図３（ａ）〜（ｃ）の断面図及び図４（ａ）（ｂ）に示すように、小径部２１及び大径部２２はそれぞれ円形の輪郭形状を有している。小径部２１の円の中心部にはノーズトップ１４が圧入される装着孔２３が形成されている。装着孔２３はノーズトップ１４の外周構成よりやや小さめの円柱形の内周面を有しており、円柱形の中心軸線２３Ａは、ノーズトップ１４の釘の射出通路１６の中心と一致するように設定されている。小径部２１の先端部には、先端部側が小径で根元側が大径の円錐台形状部２４が形成され、装着穴２３の円錐台形状部２４の反対側の縁部は面取りがなされており、ノーズトップ１４を挿入しやすくなっている。小径部２１の前端面２１Ｂはノーズトップ１４の前端面１４Ａより前側に出た位置にあり、ノーズトップ１４の前端面１４Ａは装着孔２３の奥側に位置するように設定されている。
【００３４】
小径部２１の前端面２１Ｂとノーズトップ１４の前端面１４Ａとの間には、釘の頭部の高さより少し小さい（約０．３ｍｍ乃至３ｍｍ）程度の隙間Ｃ（図３（ａ）参照）が形成され、ドライバに打ち込まれる釘の頭部が石膏ボードを破壊して釘を効かない状態が生じることを防止している。
【００３５】
小径部２１の外周面２１Ａ（当接部）は円筒状に形成されており、外周面２１Ａには僅かに（一例として略０．１ｍｍ〜０．３ｍｍ程度）突出するリング状の凸部２５が形成されている。尚、本実施例においては、一例として外周面２１Ａは直径２０ｍｍに設けられている。この凸部２５は前記中心軸線２３Ａを中心とする円形のリング状に連なっているが、破線状に形成されていても良い。凸部２５は、小径部２１を大径部２２の装着穴２６に装着したときに、小径部２１と大径部２２とを圧入状態として、両者が容易に離脱することを防止するものである。
【００３６】
大径部２２の外周面２２Ａ（当接部）も同様に円柱形に形成されており、この外周面２２Ａは大径部２２の円形の装着孔２６の中心軸線２６Ａから一定の半径を有する円柱形とされている。尚、本実施例においては一例として外周面２２Ａは直径２８ｍｍに設けられている。装着孔２６の直径は、小径部２１の外周面２１Ａの直径より僅かに大きく形成される一方、リング状の凸部２５の上面部の直径より僅かに小さく設定されており、装着孔２６に圧入された小径部２１が空回りや脱落しないようになっている。装着孔２６の前端部には、装着孔２６より口径の小さい孔２７が形成されている。この孔２７の直径は小径部２１の円錐台形状部２４の前端面２１Ｂと同じ長さに設定されており、孔２７の内周面は円錐台形状部２４の外周面２４Ａと同じ傾斜角度を有している。小径部２１の円錐台形状部２４は孔２７に隙間なく収められて前端面２１Ｂと大径部２２の前端面２２Ｂとが一致するようになっている。
【００３７】
小径部２１と大径部２２とを円筒形状に形成しているために、釘打機１によって一直線状の釘打ち目標線Ｌ１（図５参照）に沿って一定間隔で釘を打ち込んでゆくときに、作業者は極力一定のところに身体を位置させて釘打ち作業の労力を少なくすることができる。
【００３８】
例えば、図５乃至図１０に示すように、釘打機１を用いて石膏ボードＰにＬ１，Ｌ２に沿って一直線状に釘を所定間隔で打ち込んでゆくときに、作業者は定位置に位置する一方、腕Ａの曲げ伸ばしを行うだけで（図５参照）、身体と釘打機１との距離を変えてゆくほうが、体の移動を伴わないので、身体の疲労度は少ない。しかし、グリップ部２の中心線２Ａと釘打ちのための目標線Ｌ１との角度θは、釘の打ち込み箇所が変更されるたびに変わってゆく。このため、目標線Ｌ１、Ｌ２に対してグリップ部２の中心線２Ａを直角に当てないと、石膏ボードＰの端縁Ｗ或いは床面Ｆから一定の距離を保ちにくい。
【００３９】
しかし、アタッチメント２０を円形にすることによって、アタッチメント２０の中心（釘の通過する通路の中心）から円周の距離は一定であるから、グリップ部２の中心線２Ａと釘を打ち込む目標線Ｌ１との角度θがどのように変更されても、アタッチメント２０が端縁Ｗ若しくは床面Ｆに沿うようにすれば、端縁Ｗ若しくは床面Ｆ（図５，図７，図８，図９参照）からの所定距離の目標線Ｌ１上に釘を打ち込むことができる。
【００４０】
尚、目標線Ｌ２は大径部２２を外して小径部２１を用いて釘打ちを行い、その際の小径部２１の治具は例えば石膏ボードＰの縁に位置する柱や壁（図１０参照）を用いる。
【００４１】
すなわち、アタッチメント２０の外周を釘の軸の中心を中心とする円形とし、アタッチメント２０の釘の通過する通路と、ノーズトップ１４の釘の通過する通路とを一致させると、アタッチメント２０の外周面から釘の軸中心までの距離が一定となるので、壁面Ｗ等を治具として利用する場合、グリップ部２の中心線２Ａと目標線Ｌ１との角度θがどのように変化しても、壁面Ｗから一定の距離を確保できることとなる。従って、作業者Ａは手の届く範囲において体を移動させることなく、腕の曲げ伸ばしにより、目標線Ｌ１に沿って釘打ちを行うことができる。
【００４２】
アタッチメント２０の小径部２１及び大径部２２の材質は合成ゴム、天然ゴム、プラスチック等であり、石膏ボードＰ（図７参照）の表面の紙や木材に対して滑りやすく、耐摩耗性があるものが用いられる。アタッチメント２０の硬さは、石膏ボードＰよりも軟らかいものが用いられる。アタッチメント２０の硬さを、石膏ボードＰよりも軟らかいものとすることは、釘を打ち込むときコンタクト部材１３をハウジング部２側に押し付ける必要があるため、コンタクト部材１３のノーズトップ１４によって石膏ボードＰが損傷することを防止する必要があるからである。
【００４３】
また、上述のアタッチメント２０では、複数個のアタッチメントとなる小径部２１と大径部２２において、内側に位置するアタッチメントとしての小径部２１は、外側に位置するアタッチメントとしての大径部２２より硬い材質で構成されている。小径部２１の硬さを大径部２２の硬さより硬い材質で構成するのは、小径部２１を軟らかくすると、コンタクト部材１３を石膏ボードＰに押し当てて釘を打つ作業を長期間続けると、小径部２１の前端面２１Ｂの面積が小さいために摩耗が早くなるからである。従って、耐摩耗性のあるプラスチック等（例えばＰＰ等）を用いたり、アタッチメント２０の小径部２１や大径部２２の前端面２１Ｂ、２２Ｂ等に起毛布やシール等を貼り付けたり、複数層の構成とするのも良い。
【００４４】
アタッチメント２０の輪郭形状は、この実施の形態では円形形状であるが、後述する実施例のように、矩形でも良い。また、アタッチメント２０の立体形状は筒型の他にも、柱状、板状のものであっても良い。
【００４５】
また、アタッチメント２０において、互いに接触し合う小径部２１の外周面２１Ａに、小径部２１と大径部２２とが相互に圧入される凸部２５が形成されているが、この凸部２５は、大径部２２の装着孔２６の内周面に形成されていても良いし、小径部２１の外周面２１Ａと大径部２２の装着孔２６の内周面の両方に形成されていても良い。更に、凸部２５は外周面２１Ａ又は装着孔２６の内周面に複数本形成したり、凸部２５をドット上に形成して外周面２１Ａ又は装着孔２６の内周面全体に均一に分散させて形成しても良い。また、これらの凸部２５は小径部２１の外周面２１Ａにリングやシール等を貼り付けて形成しても良い。
【実施例】
【００４６】
図１１は、アタッチメント３０を長方形状に形成したものであり、長方形の中心部に、ノーズトップ１４を圧入する取付孔３１が形成されている。この取付孔３１は円柱形の内周面を有しており、取付孔３１の中心は長辺３０Ａと短辺３０Ｂのそれぞれの中心線の交点に位置するように設けられている。取付孔３１の中心はノーズトップ１４の釘の射出通路１６の中心軸線と一致しており、取付孔３１から短辺３０Ｂまでの距離は、一例として１４ｍｍとされ、取付孔３１から長辺３０Ａまでの距離は、一例として１０ｍｍとされている。これによって、ノーズトップ１４にアタッチメント３１を取り付ければ、アタッチメント３１のグリップ部２の中心線２Ａに対する角度を調整することにより、釘打ちの目標線Ｌ１、Ｌ２に沿って容易に釘を打ち込むことができる。
【００４７】
以上説明したように、実施の形態にかかる釘打機１（携帯用動力駆動工具）のアタッチメント２０、３０によれば、釘打機１の中心から外周面２１Ａ、２２Ａ、３０Ａ、３０Ｂ（当接部）までの離間距離が異なるので、例えば柱の縁部から所定距離に釘を打つ場合に、釘と柱の離間距離が場所によって異なっている場合でも、アタッチメント２０、３０の外周面２１Ａ、２２Ａ、３０Ａ、３０Ｂ（当接部）を変更することによって、容易に離間距離を維持することができる。また、アタッチメント２０、３０の硬さも石膏ボードＰ或いはフロアＦ（作業対象部位）の硬さよりも軟らかく設定されているので、石膏ボードＰ或いはフロアＦに凹みや損傷等が生じない。
【００４８】
また、アタッチメント２０の場合には、小径部２１と大径部２２がノーズトップ１４（作業処理部位）に装着されているので、石膏ボードＰ或いはフロアＦへの釘打ち目標部（作業対象部位）の位置が変わった場合に、該当する小径部２１又は大径部２２に変更して容易に作業を行うことができる。
【００４９】
更に、アタッチメント２０の場合、相互に嵌合して接触し合う小径部２１と大径部２２同士が凸部２５により圧入されているので、複数のアタッチメントを装着しているときでも、小径部２１と大径部２２同士が脱落する恐れがない。
【００５０】
また、アタッチメント２０によれば、内側の小径部２１が外側の大径部２２より硬く形成されているので、小径部２１が作業対象部位或いは位置決め用の柱や壁に当たったときの面積が小さくても、小径部２１の摩耗が少ないと共に、内側の小径部２１が軟らかさで撓んだり歪んだりする恐れがなく、作業中に外側の大径部２２が小径部２１から脱落することを防止できる。
【００５１】
尚、上述のアタッチメント２０、３０はノーズトップ１４に着脱可能に装着されているが、ノーズトップ１４に一体に固定されていたり、コンタクト部材１３のコンタクトアーム１５に着脱可能に装着されたり、一体に固定されている場合もあり得る。
【産業上の利用可能性】
【００５２】
本発明の携帯用動力駆動工具のアタッチメントは、釘打機、ネジ打ち機、ネジ締め機、ドリル等で作業を行う際に、工具であるドライバーやドリルの刃を柱や壁等の基準部材から所定距離離して使用する場合に、その位置決めを容易に行い、作業効率を高めるものである。
【図面の簡単な説明】
【００５３】
【図１】図１は本発明の最良の形態の携帯用動力駆動工具の取付部位近傍を示す断面図である。
【図２】図２は作業処理部であるノーズトップと複数個かなるアタッチメントの取り付ける状態を示す参考図である。
【図３】（ａ）は本発明の最良の形態にかかるアタッチメントの組み合わせた状態を示す断面図、（ｂ）は大径部の断面図、（ｃ）は小径部の断面図である。
【図４】（ａ）は二重構造のアタッチメントの前端部から見た図、（ｂ）は二重構造のアタッチメントの後端部から見た図である。
【図５】釘打ちの目標線に沿って釘を打つ場合の作業者及び釘打機の姿勢変化を示す説明図である。
【図６】アタッチメントを取り付ける釘打機の構成を示す図である。
【図７】釘を打ち込む石膏ボード或いはフロアにおける打ち込みの目標線の例を示す図である。
【図８】石膏ボードのフロア側に釘を打ち込む場合の釘打機の姿勢を示す図である。
【図９】石膏ボードの縦方向に釘を打ち込む場合の釘打機の姿勢を示す図である。
【図１０】石膏ボードの縦方向に釘を打ち込む場合の釘打ち機のグリップ角度を示す図である。
【図１１】長方形型のアタッチメントの正面図、側面図を示す図である
【符号の説明】
【００５４】
１  釘打機
２  グリップ部
１３  コンタクト部
１４  ノーズトップ（作業処理部）
１５  コンタクトアーム
２０  アタッチメント（複数個からなるアタッチメント）
２１  小径部（内側のアタッチメント）
２２  大径部（外側のアタッチメント）
２１Ａ  外周面（当接部）
２１Ｂ  前端面
２２Ａ  外周面（当接部）
２２Ｂ  前端面
２５  凸部
２３  装着孔
２６  装着孔
【図１】
2005224907.tif 000003
【図２】
2005224907.tif 000004
【図３】
2005224907.tif 000005
【図４】
2005224907.tif 000006
【図５】
2005224907.tif 000007
【図６】
2005224907.tif 000008
【図７】
2005224907.tif 000009
【図８】
2005224907.tif 000010
【図９】
2005224907.tif 000011
【図１０】
2005224907.tif 000012
【図１１】
2005224907.tif 000013